(57)【特許請求の範囲】
【請求項１】
ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＴＧＷは音声符号化部とパケット化部を有する、当該ＶｏＩＰシステムにおいて、
前記ＩＰネットワークに接続された試験サーバと、
前記ＴＧＷ内の前記交換機側に配された信号折り返し手段と、
有音データと無音データからなる所定形式の試験パターンを前記試験サーバに格納する格納手段と、
前記信号折り返し手段の動作モードを設定する設定手段とを有し、
前記ＴＧＷの正常性を確認するとき、前記試験サーバは、所定のテストデータを前記パケット化部に送信し、
前記試験サーバから前記所定のテストパターンを受信したとき、前記パケット化部は、前記テストデータをパケット単位に分割し、かつ前記試験サーバに返信し、
前記試験サーバは、
前記パケット化部から前記パケット単位に分割された前記テストパターンを受信したとき、前記パケット化部から受信したテストパターンと前記試験サーバから送信したテストパターンとが一致しているか否かを判断し、
前記返信されたテストデータと前記所定のテストデータとが一致していると判断されたとき、テストパターンを前記音声符号化部に送信し、
前記音声符号化部は、
前記試験サーバから前記テストパターンを受信したとき、所定の音声符号化アルゴリズムに基づいて音声符号変換し、
前記テストパターンの音声符号変換後、変換後のテストパターンを前記試験サーバに返信し、
前記試験サーバは、前記音声符号化部から前記変換後のテストパターンを受信したとき、前記変換後のテストパターンと期待値パターンとを照合し、
前記変換後のテストパターンと前記期待値パターンが一致したとき、設定手段は、前記信号折り返し手段を折り返し動作モードに設定し、
前記折り返し手段が折り返し動作モードに設定されたとき、前記試験サーバは、前記音声符号化部と前記パケット化部を介して、前記折り返し手段へ前記試験パターンを送信し、
前記試験サーバから前記試験パターンを受信したとき、前記信号折り返し手段は、再度、前記音声符号化部と前記パケット化部を介して、前記試験サーバに返信し、
前記折り返し手段から前記試験パターンを受信したとき、前記格納手段は、受信した前記試験パターンを格納し、
前記格納手段に受信した前記試験パターンが格納されたとき、前記試験サーバは、格納された前記試験パターンに基づいて所定の判定試験を行うことを特徴とするＶｏＩＰシステム。
【請求項２】
前記試験パターンは、前記ＴＧＷの音声符号化／再生動作の無音区間を示す前記無音データとを組み合わせたパターンからなることを特徴とする請求項１記載のＶｏＩＰシステム。
【請求項３】
前記判定試験では、前記ＴＧＷの音声符号化／再生動作の正常性を確認することを特徴とする請求項２記載のＶｏＩＰシステム。
【請求項４】
前記信号折り返し手段より折り返された前記試験パターンの前記無音区間の幅と前記試験サーバより送出された前記試験パターンの有する無音区間幅との比較結果をもとに、前記正常性の確認を行うことを特徴とする請求項３記載のＶｏＩＰシステム。
【請求項５】
前記比較に際して、前記音声符号化部における音声符号の種類による音声フレーム時間を考慮することを特徴とする請求項４記載のＶｏＩＰシステム。
【請求項６】
前記音声フレーム時間は、前記音声符号化部における符号化遅延、および再符号化遅延を含むことを特徴とする請求項５記載のＶｏＩＰシステム。
【請求項７】
ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＩＰネットワークに接続された試験サーバと、有音データと無音データからなる所定形式の試験パターンを前記試験サーバに格納する格納手段と、前記信号折り返し手段の動作モードを設定する設定手段と、前記ＴＧＷは、音声符号化部と、パケット化部と、前記ＴＧＷ内の前記交換機側に配された信号折り返し手段とを有するＶｏＩＰシステムの試験方法において、
前記ＴＧＷの正常性を確認するとき、前記試験サーバは、所定のテストデータを前記パケット化部に送信し、
前記試験サーバから前記所定のテストパターンを受信したとき、前記パケット化部は、前記テストデータをパケット単位に分割し、かつ前記試験サーバに返信し、
前記試験サーバは、
前記パケット化部から前記パケット単位に分割された前記テストパターンを受信したとき、前記パケット化部から受信したテストパターンと前記試験サーバから送信したテストパターンとが一致しているか否かを判断し、
前記返信されたテストデータと前記所定のテストデータとが一致していると判断されたとき、テストパターンを前記音声符号化部に送信し、
前記音声符号化部は、
前記試験サーバから前記テストパターンを受信したとき、所定の音声符号化アルゴリズムに基づいて音声符号変換し、
前記テストパターンの音声符号変換後、変換後のテストパターンを前記試験サーバに返信し、
前記試験サーバは、前記音声符号化部から前記変換後のテストパターンを受信したとき、前記変換後のテストパターンと期待値パターンとを照合し、
前記変換後のテストパターンと前記期待値パターンが一致したとき、設定手段は、前記信号折り返し手段を折り返し動作モードに設定し、
前記折り返し手段が折り返し動作モードに設定されたとき、前記試験サーバは、前記音声符号化部と前記パケット化部を介して、前記折り返し手段へ前記試験パターンを送信し、
前記試験サーバから前記試験パターンを受信したとき、前記信号折り返し手段は、再度、前記音声符号化部と前記パケット化部を介して、前記試験サーバに返信し、
前記折り返し手段から前記試験パターンを受信したとき、前記格納手段は、受信した前記試験パターンを格納し、
前記格納手段に受信した前記試験パターンが格納されたとき、前記試験サーバは、格納された前記試験パターンに基づいて前記ＴＧＷの音声符号化／再生動作の正常性を確認する所定の判定試験を行うことを特徴とするＶｏＩＰシステムの試験方法。
【請求項８】
前記判定試験は、前記信号折り返し部より折り返された前記試験パターンの前記無音区間の幅と前記試験サーバより送出された前記試験パターンの有する無音区間幅との比較結果をもとに、前記正常性の確認を行うことを特徴とする請求項７記載のＶｏＩＰシステムの試験方法。
【発明の詳細な説明】
【０００１】
【発明の属する技術分野】
本発明は、音声符号化／再生動作の正常性を確認するための試験を行うＶｏＩＰシステムおよびその試験方法に関するものである。
【０００２】
【従来の技術】
交換機とインタフェースを行うゲートウエイであるＴＧＷ(Trunk Gateway) の音声符号化／再生動作の試験方法として、正弦波信号を符号化した試験パターンを、ＴＧＷの交換機インタフェース側で折り返し、折り返された信号の受信データのレベル情報をもとに、音声符号化／再生動作の正常性を判断する試験方法が知られている。
【０００３】
ＶｏＩＰ(Voice over IP) システムの音声符号化／再生動作の確認は、一般的には、以下の方法で行っている。
【０００４】
（１）試験データをＴＧＷで折り返し、その試験データと折り返しデータの一致の確認を行う。
（２）ＩＴＵ−Ｔ等で勧告されているテストパターンを、試験サーバからＴＧＷの音声符号化回路へ送信し、その音声符号化回路において、音声符号化アルゴリズムに基づいて音声符号変換を行う。そして、変換後のデータを試験サーバへ送り返し、試験サーバでは、そのデータを期待値パターンと照合して、音声符号化回路の正常性を確認する。この方法と、ＴＧＷにモニタ回路を設けて試験音声を再生し、音声として確認する方法とを組み合わせて、ＴＧＷの音声符号化／再生動作を試験する。
【０００５】
【発明が解決しようとする課題】
しかしながら、上記従来の技術では、試験サーバとＴＧＷのパケット化回路、および音声符号化回路について音声符号化動作の正常性の確認はできても、音声符号化回路の交換機インタフェース側の確認ができないという問題がある。
【０００６】
さらには、上述した、ＴＧＷにモニタ回路を設け、試験音声を再生させて音声として確認する方法では、その確認を人間が行う必要がある。そのため、複数回線の試験を行う場合等において、試験に時間がかかり、操作性が悪いという問題がある。
【０００７】
本発明は、上述の課題に鑑みなてされたものであり、その目的とするところは、音声正常性の確認のためのデータ照合時間の短縮と操作性を改善したＶｏＩＰシステムおよびその試験方法を提供することである。
【０００８】
すなわち、本発明は、ＶｏＩＰシステムのＴＧＷにおける音声符号化／再生動作の正常性を効率的に確認するための試験方法を提供することを目的とする。
【０００９】
【課題を解決するための手段】
請求項１記載の発明は、ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＴＧＷは音声符号化部とパケット化部を有する、当該ＶｏＩＰシステムにおいて、前記ＩＰネットワークに接続された試験サーバと、前記ＴＧＷ内の前記交換機側に配された信号折り返し手段と、有音データと無音データからなる所定形式の試験パターンを前記試験サーバに格納する格納手段と、前記信号折り返し手段の動作モードを設定する設定手段とを有し、前記ＴＧＷの正常性を確認するとき、前記試験サーバは、所定のテストデータを前記パケット化部に送信し、前記試験サーバから前記所定のテストパターンを受信したとき、前記パケット化部は、前記テストデータをパケット単位に分割し、かつ前記試験サーバに返信し、前記試験サーバは、前記パケット化部から前記パケット単位に分割された前記テストパターンを受信したとき、前記パケット化部から受信したテストパターンと前記試験サーバから送信したテストパターンとが一致しているか否かを判断し、前記返信されたテストデータと前記所定のテストデータとが一致していると判断されたとき、テストパターンを前記音声符号化部に送信し、前記音声符号化部は、前記試験サーバから前記テストパターンを受信したとき、所定の音声符号化アルゴリズムに基づいて音声符号変換し、前記テストパターンの音声符号変換後、変換後のテストパターンを前記試験サーバに返信し、前記試験サーバは、前記音声符号化部から前記変換後のテストパターンを受信したとき、前記変換後のテストパターンと期待値パターンとを照合し、前記変換後のテストパターンと前記期待値パターンが一致したとき、設定手段は、前記信号折り返し手段を折り返し動作モードに設定し、前記折り返し手段が折り返し動作モードに設定されたとき、前記試験サーバは、前記音声符号化部と前記パケット化部を介して、前記折り返し手段へ前記試験パターンを送信し、前記試験サーバから前記試験パターンを受信したとき、前記信号折り返し手段は、再度、前記音声符号化部と前記パケット化部を介して、前記試験サーバに返信し、前記折り返し手段から前記試験パターンを受信したとき、前記格納手段は、受信した前記試験パターンを格納し、前記格納手段に受信した前記試験パターンが格納されたとき、前記試験サーバは、格納された前記試験パターンに基づいて所定の判定試験を行うことを特徴とする。
【００１０】
請求項２記載の発明は、請求項１記載のＶｏＩＰシステムにおいて、前記試験パターンは、前記ＴＧＷの音声符号化／再生動作の無音区間を示す前記無音データとを組み合わせたパターンからなることを特徴とする。
【００１１】
請求項３記載の発明は、請求項２記載のＶｏＩＰシステムにおいて、前記判定試験では、前記ＴＧＷの音声符号化／再生動作の正常性を確認することを特徴とする。
【００１２】
請求項４記載の発明は、請求項３記載のＶｏＩＰシステムにおいて、前記信号折り返し手段より折り返された前記試験パターンの前記無音区間の幅と前記試験サーバより送出された前記試験パターンの有する無音区間幅との比較結果をもとに、前記正常性の確認を行うことを特徴とする。
【００１３】
請求項５記載の発明は、請求項４記載のＶｏＩＰシステムにおいて、前記比較に際して、前記音声符号化部における音声符号の種類による音声フレーム時間を考慮することを特徴とする。
【００１４】
請求項６記載の発明は、請求項５記載のＶｏＩＰシステムにおいて、前記音声フレーム時間は、前記音声符号化部における符号化遅延、および再符号化遅延を含むことを特徴とする。
【００１５】
請求項７記載の発明は、ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＩＰネットワークに接続された試験サーバと、有音データと無音データからなる所定形式の試験パターンを前記試験サーバに格納する格納手段と、前記信号折り返し手段の動作モードを設定する設定手段と、前記ＴＧＷは、音声符号化部と、パケット化部と、前記ＴＧＷ内の前記交換機側に配された信号折り返し手段とを有するＶｏＩＰシステムの試験方法において、前記ＴＧＷの正常性を確認するとき、前記試験サーバは、所定のテストデータを前記パケット化部に送信し、前記試験サーバから前記所定のテストパターンを受信したとき、前記パケット化部は、前記テストデータをパケット単位に分割し、かつ前記試験サーバに返信し、前記試験サーバは、前記パケット化部から前記パケット単位に分割された前記テストパターンを受信したとき、前記パケット化部から受信したテストパターンと前記試験サーバから送信したテストパターンとが一致しているか否かを判断し、前記返信されたテストデータと前記所定のテストデータとが一致していると判断されたとき、テストパターンを前記音声符号化部に送信し、前記音声符号化部は、前記試験サーバから前記テストパターンを受信したとき、所定の音声符号化アルゴリズムに基づいて音声符号変換し、前記テストパターンの音声符号変換後、変換後のテストパターンを前記試験サーバに返信し、前記試験サーバは、前記音声符号化部から前記変換後のテストパターンを受信したとき、前記変換後のテストパターンと期待値パターンとを照合し、前記変換後のテストパターンと前記期待値パターンが一致したとき、設定手段は、前記信号折り返し手段を折り返し動作モードに設定し、前記折り返し手段が折り返し動作モードに設定されたとき、前記試験サーバは、前記音声符号化部と前記パケット化部を介して、前記折り返し手段へ前記試験パターンを送信し、前記試験サーバから前記試験パターンを受信したとき、前記信号折り返し手段は、再度、前記音声符号化部と前記パケット化部を介して、前記試験サーバに返信し、前記折り返し手段から前記試験パターンを受信したとき、前記格納手段は、受信した前記試験パターンを格納し、前記格納手段に受信した前記試験パターンが格納されたとき、前記試験サーバは、格納された前記試験パターンに基づいて前記ＴＧＷの音声符号化／再生動作の正常性を確認する所定の判定試験を行うことを特徴とする。
【００１６】
請求項８記載の発明は、請求項７記載のＶｏＩＰシステムの試験方法において、前記判定試験は、前記信号折り返し部より折り返された前記試験パターンの前記無音区間の幅と前記試験サーバより送出された前記試験パターンの有する無音区間幅との比較結果をもとに、前記正常性の確認を行うことを特徴とする。
【００１７】
【発明の実施の形態】
以下、添付図面を参照しながら、本発明の実施の形態を詳細に説明する。
［システムの概要］
本発明の一実施の形態として、ＶｏＩＰシステムにおける音声の正常性の確認は、システムに試験サーバを設け、その試験サーバに、後述する試験パターンを送信して行う。また、ＴＧＷの交換機インタフェース側は、折り返し回路を有する。
【００１８】
ここでは、試験サーバからの試験パターン（送信）は、ＲＴＰパケット化され、ＴＧＷのパケット化部を経由して音声符号化部に供給され、通常の音声と同様、音声符号化部で音声符号化処理が行われる。その出力は、ＴＤＳＷ(Time division Switch ：時分割スイッチ) に接続されている折り返し回路で折り返され、 再び、音声符号化部へ入力された後、音声符号化部とパケット化部でパケット化される。
【００１９】
なお、試験パターンのＲＴＰパケット化の際、無音区間については、後述するように送信しない。
【００２０】
パケット化部は、パケット化したＲＴＰパケットを試験サーバに送信する。試験サーバは、受信したＲＴＰパケットのシーケンス番号（ＳＱ＃）、およびタイムスタンプ(Time Stamp)を確認する。そして、試験サーバは、受信したＲＴＰパケットのシーケンス番号（ＳＱ＃）、およびタイムスタンプより、そのパケットに、送信した試験パターンと同等の無音区間が存在することを確認する。
【００２１】
本発明に係る音声符号化／再生動作の正常性確認では、上記のパケット化部、および音声符号化部の正常性を確認／保証するため、後述するＰｉｎｇ試験、および音声符号化部における試験例（テストベッド）を事前に行ってから、実際の確認を実行する必要がある。
【００２２】
［システム構成］
以下、本発明の実施の形態に係るＶｏＩＰシステムの構成を説明する。図１は、本実施の形態に係るＶｏＩＰシステムの全体構成を示すブロック図である。同図に示すようにＶｏＩＰシステムは、交換機１１，１２間に設置され、これらの交換機との音声信号のインタフェースや、ＩＰネットワーク２０内でのＲＴＰ(Real-time Transport Protocol)パケットを送受信するＴＧＷ(Trunk Gateway) １３，１４を有する。
【００２３】
交換機１１，１２は、それぞれ端末１１ｂ，１２ｂを収容するとともに、ＴＤＳＷ( 時分割スイッチ) １１ａ，１２ａを有しており、それらのスイッチと通話用回線１６，１７を介して、ＴＧＷ１３，１４に接続されている。
【００２４】
本ＶｏＩＰシステムの制御系には、各ＴＧＷ１３，１４を制御するコール・エージェント(Call Agent)２５が配され、このコール・エージェント２５は、ＳＧＷ(Signaling Gateway) ２３，２４を介して、各交換機１１，１２を制御する。そして、各ＴＧＷ間を接続するＩＰネットワーク２０には、試験サーバ１５が接続されている。
【００２５】
図２は、本実施の形態に係るＶｏＩＰシステムのＴＧＷ１３，１４の内部構成を示すブロック図である。各ＴＧＷ１３，１４は、ＴＧＷ全体の制御を行うＴＧＷ制御部３１、入力信号をパケット化するためのパケット化部３２および音声符号化部３３、時分割スイッチＴＳＷ３４、通信用回線とのインタフェースとなるＩＮＦ部３５を有する。また、ＴＳＷ３４には、後述する折り返し回路３６が接続されている。
【００２６】
図３は、ＴＧＷ１３，１４のパケット化部３２および試験サーバ１５間で音声信号の転送を行う際のＲＴＰパケットのフォーマット例である。同図に示すように、ＲＴＰパケット４１のＲＴＰ部は、シーケンス番号（ＳＱ＃）４３、およびタイムスタンプ(Time)４４を含んで構成される。
【００２７】
［システムの動作］
以下、本実施の形態に係るＶｏＩＰシステムの動作について説明する。最初に、通常のＶｏＩＰシステムの動作を説明する。図１に示す交換機１１，１２の内、一方の交換機（例えば、交換機１１）より、その制御系２１、およびＳＧＷ２３を経由して、呼の接続が要求されると、コール・エージェント２５は、他方の交換機１２へ、ＳＧＷ２４を経由して、その交換機の制御系２２へ着信を要求する。
【００２８】
コール・エージェント２５は、着信側の交換機１２より応答信号が返送されると、発信側交換機１１へ、その応答を返すとともに、その交換機１１と対向するＴＧＷ１３に対して所定の動作の準備を指示する。準備を指示されたＴＧＷ１３は、交換機からのデジタル化された音声信号を効率よく転送するため、その音声信号をＴＧＷ内の音声符号化部３３（図２参照）で符号化する。
【００２９】
このように符号化された音声信号は、パケット化部３２で、図３に示すＲＴＰパケットに変換し、相手側交換機のＴＧＷ１４へ、そのＲＴＰパケットを送信する。
【００３０】
一方、相手側ＴＧＷ１４は、そのパケット化部３２で、ＩＰネットワーク２０を介して送信されてきたＲＴＰパケットを受信し、そのパケットに含まれるシーケンス番号（ＳＱ＃）４３、およびタイムスタンプ４４の正常性を確認する。
【００３１】
このように、音声符号化部３３へ送られた音声は、そこで符号化されてデジタル信号に変換される。その信号は、ＴＳＷ３４、ＩＮＦ部３５を介して、相手交換機へ送られる結果、交換機間の音声通話が可能となる。
【００３２】
このとき、ＴＧＷ１３，１４では、音声信号の無音区間においては、ＩＰネットワーク２０上での転送効率を上げる目的で、その信号をパケット化しない。そして、受信側のＴＧＷは、そのパケット化部３２におけるＲＴＰパケットの受信が途切れると、音声符号化部３３で無音再生の動作を行う。
【００３３】
ＴＧＷは、次にＲＴＰパケットを受信したならば、再び、受信したＲＴＰパケットのペイロード（Ｇ．７ＸＸ）を音声符号化部３３へ送り、音声の再生を再開する。交換機１１，１２間におけるＲＴＰパケットの送受信は、上述したシーケンス番号（ＳＱ＃）４３、およびタイムスタンプ４４により、互いのＴＧＷ１３，１４のパケット化部３２で管理する。
【００３４】
［音声の正常性の確認］
本実施の形態に係るＶｏＩＰシステムにおける音声正常性の確認動作について説明する。図１に示す試験サーバ１５は、所定の信号パターンからなる試験パターンを有する。試験サーバ１５は、本ＶｏＩＰシステム内における音声符号化／再生動作の正常性の確認を指示されたならば、最初に、試験するＴＧＷに対する正常性確認を行う。
【００３５】
すなわち、試験サーバ１５は、図４に示すＰｉｎｇ試験により、ＴＧＷ内のパケット化部３２の正常性を確認する。具体的には、試験サーバ１５が、図中、矢印で示すように、所定のテストデータ５１をパケット化部３２へ送り、パケット化部３２より折り返されたデータ（折り返しデータ）５２を受ける。この折り返しデータ５２がテストデータ５１と一致していれば、パケット化部３２は正常であることが確認される。
【００３６】
試験サーバ１５は、上記のＰｉｎｇ試験により、パケット化部３２の正常性を確認すると、次に、試験対象のＴＧＷ内の音声符号化部３３について、その正常性を確認する。図５は、音声符号化部３３の試験例（テストベッド）を示している。
【００３７】
かかる音声符号化部の試験例（テストベッド）において、試験サーバ１５は、ＩＴＵ−Ｔ等で勧告されているテストパターン５５を、ＴＧＷ内の音声符号化部３３へ送信する。音声符号化部３３では、所定の音声符号化アルゴリズムに基づいて音声符号変換を行い、変換後のデータを試験サーバ１５へ送り返す。そこで、試験サーバ１５は、送り返されたデータを発生パターン５６として、そのパターンと期待値パターン５７とを照合し、それらが一致すれば、音声符号化部３３が正常であると判断する。
【００３８】
このように、本実施の形態に係るＶｏＩＰシステムでは、上述したＰｉｎｇ試験と併せて、音声符号化部３３の正常性を確認するための動作を行い、ＴＧＷ内のパケット化部、および音声符号化部について、交換機インタフェース部を除く部分の正常性を確認する。
【００３９】
ところで、上述した確認方法では、ＴＧＷの音声符号化部３３の内、交換機インタフェース側、およびＴＳＷ３４の確認はできない。そのため、上記とは別の確認手段が必要となる。
【００４０】
そこで、試験サーバ１５は、上記のＰｉｎｇ試験と併せて、ＴＧＷ内のパケット化部３２、および音声符号化部３３の、交換機インタフェース部を除く部分の正常性確認が完了すると、ＴＧＷのＴＧＷ制御部３１に指示を出す。この指示によって、ＴＳＷ３４、および、それに接続された折り返し回路３６が「折り返し」に設定される。
【００４１】
図６は、試験サーバ１５に保有された試験パターンと、ＴＧＷでの受信パターンとの関係を示すタイミング図である。同図の（ａ）は、この試験に使用する試験パターンである。ここでは、シーケンスＳｑ１〜Ｓｑ３それぞれに対応するＡ（ｔ１），Ｂ（ｔ２），Ｃ（ｔ３）と、それに続く無音時間Ｔ＝Ｘの無音区間（無音データ）と、さらにそれに続く、シーケンスＳｑ４〜Ｓｑ６それぞれに対応するＤ（ｔ４），Ｅ（ｔ５），Ｆ（ｔ６）とからなる試験パターンを、これらの順に連続してＴＧＷ１へ送信する。なお、無音区間以外に位置するデータは、有音データである。
【００４２】
ＴＧＷのパケット化部３２、音声符号化部３３は、試験サーバ１５より受信した、上記の試験パターンを、通常の音声信号と同様に扱い、それを交換機インタフェースのデジタル信号として、ＴＳＷ３４へ送出する。
【００４３】
このとき、ＴＳＷ３４、および折り返し回路３６は、上述したように、ＴＧＷ制御部３１によって、「折り返し」に設定されているため、入力信号（試験パターン）は、再び、音声符号化部３３、およびパケット化部３２で、ＲＴＰパケット化され、それが試験サーバ１５に送信される。
【００４４】
その結果、試験サーバ１５は、図６の（ｂ）に示すような遅延時間ｔの遅延を受けた試験パターンを、シーケンスＳｑ１〜無音時間〜Ｓｑ６に対応したＡ'（ｔ１），Ｂ'（ｔ２），Ｃ'（ｔ３）、無音信号、Ｄ'（ｔ４），Ｅ'（ｔ５），Ｆ'（ｔ６）の順に受信する。
【００４５】
具体的には、試験サーバ１５は、ＲＴＰパケットのシーケンス番号（ＳＱ＃）により、パケット順序の正常性をチェックし、さらに、以下の確認動作をする。すなわち、試験パターンの無音区間の長さ（幅）が、有音C （ｔ３）のタイムスタンプから、次の有音Ｄ（ｔ４）までとなっており、折り返して受信したＲＴＰパケットのＣ'（ｔ３），Ｄ'（ｔ４）のタイムスタンプを比較することで、試験サーバ１５から送信した試験パターンが、正常にＴＧＷで折り返されたかどうかを確認する。
【００４６】
換言すれば、試験サーバ１５は、折り返し受信したパケットに、自らが送信した試験パターンと同等の無音区間が存在することを確認する。
【００４７】
このように、試験サーバ１５から送信された試験パターンが、正常にＴＧＷで折り返されたかを確認することで、ＴＧＷのパケット化部３２、音声符号化部３３、およびＴＳＷ３４における音声符号化／再生動作の正常性を確認する。
【００４８】
また、この際、音声符号の種類により、音声化フレーム時間の違いがあり、試験パターンの送信時、および折り返し時という２回の音声符号化処理による影響（音声符号化部３３での符号化遅延、および再符号化の遅延）を考慮する必要がある。
【００４９】
そこで、試験サーバ１５による無音区間の正常性判定の際、折り返し受信したパターンの無音区間数が、試験パターンに対して、
−２≦無音区間数≦＋２                                          …（１）
の関係にあるか、または、音声符号化アルゴリズムの最上フレーム時間をベースとした、
−２フレーム時間≦｛Ｄ（ｔ４）−Ｃ（ｔ３）｝+ ２フレーム時間    …（２）
のいずれかによる判定により、音声符号化部の音声符号化／再生動作の正常性を確認する。
【００５０】
以上説明したように、本実施の形態によれば、ＴＧＷの交換機インタフェース側に折り返し回路を設け、試験サーバより、有音データと無音区間のデータからなる試験パターンを音声符号化部へ送信して音声符号に変換し、折り返し回路を用いて再び、音声符号変換、およびＲＴＰパケット化した試験パターンを試験サーバへ送り返し、その試験サーバで受信したＲＴＰパケットの受信状況により、つまり、送信パターンの有する無音区間と折り返し受信した試験パターンの無音時間の範囲を比較して、それが一定範囲内にある場合、ＴＧＷの音声符号化／再生動作が正常であると確認することで、ＶｏＩＰシステムの音声正常性の確認に際して、人間による有音音声データの内容確認を行わずに複数回線の試験時間の短縮（データ照合時間の短縮）と、その操作性の改善ができる。
【００５１】
すなわち、上述した３つの試験を行って、ＴＧＷの音声符号化／再生動作の正常性を確認するので、音声符号データの内容チェックを行うことなく、複数回線の試験時間を短縮でき、しかも、人手の介在が不要であるため、操作性の優れたＶｏＩＰシステムの音声正常性の確認を行える。
【００５２】
さらには、本実施の形態に係るシステムでは、音声符号化データの内容を確認しないで、試験パターンの無音区間と折り返しデータの無音区間の長さを単に比較するので、試験サーバに大きなデータ処理能力を必要とせず、試験時間を短縮でき、しかも、システムがオンラインサービス中であっても、そのサービスを停止することなく、個々の回線単位に音声符号化／再生動作の正常性を確認できる。
【００５３】
本発明は、上記の実施の形態に限定されるものではなく、発明の趣旨を逸脱しない範囲で、種々変形が可能である。例えば、試験サーバ１５は、コール・エージェント２５、ＴＧＷ内のＴＧＷ制御部３１、およびＩＰネットワーク２０内の他サーバを一括してまとめた構成としてもよい。
【００５４】
また、上記実施の形態では、音声符号化方式の種別等については、特に記述していない。従って、本発明は、特定の音声符号化方式にはとらわれず、上記ＶｏＩＰシステムの音声正常性の確認は、全ての音声符号化方式が対象となる。
【００５５】
【発明の効果】
以上説明したように、本発明によれば、音声符号化部とパケット化部を有するＴＧＷを介して交換機およびＩＰネットワークに接続されるとともに、ＩＰパケットを用いて符号化音声信号を転送するＶｏＩＰシステムにおいて、有音データと無音データからなる所定形式の試験パターンを、ＩＰネットワークに接続された試験サーバに格納し、ＴＧＷ内の交換機側に配された信号折り返し手段の動作モードが折り返し動作モードに設定されている場合、試験サーバより音声符号化部とパケット化部を介して、信号折り返し手段へ試験パターンを送り、その信号折り返し手段より、再度、これら音声符号化部とパケット化部を介して、試験サーバで受信した試験パターンに基づいて、ＴＧＷの音声符号化／再生動作の正常性を確認することで、かかる正常性の確認を人間が行わずに、複数回線の試験時間の短縮、その操作性の改善を実現できる。
【００５６】
また、本発明によれば、試験サーバは、音声符号化データの内容を確認しないで、試験パターンの無音区間と折り返しデータの無音区間の長さを単に比較しているため、試験サーバに大きなデータ処理能力を必要とせず、試験時間を短縮できる。
【００５７】
さらには、システムがオンラインサービス中であっても、そのサービスを停止することなく、個々の回線単位に音声符号化／再生動作の正常性を確認できるという効果がある。
【００５８】
他の発明に係るＶｏＩＰシステムの試験方法によっても、音声符号化部とパケット化部を有するＴＧＷを介して交換機およびＩＰネットワークに接続されるとともに、ＩＰパケットを用いて符号化音声信号を転送するＶｏＩＰシステムの試験方法において、ＴＧＷ内の交換機側に配された信号折り返し部の動作モードが折り返し動作に設定されている場合、ＩＰネットワークに接続された試験サーバより、ＴＧＷ内の音声符号化部とパケット化部を介して、信号折り返し部へ、有音データと所定時間幅の無音区間を示す無音データとを組み合わせたパターンからなる試験パターンを送信し、その信号折り返し部より、再度、音声符号化部とパケット化部を介して送信された試験パターンを試験サーバで受信し、受信した試験パターンに基づいてＴＧＷの音声符号化／再生動作の正常性を確認することで、複数回線の試験時間の短縮、その操作性の改善を伴った、ＴＧＷの音声符号化／再生動作の正常性を確認できる。
【図面の簡単な説明】
【図１】本発明の実施の形態に係るＶｏＩＰシステムの全体構成を示すブロック図である。
【図２】実施の形態に係るＶｏＩＰシステムのＴＧＷの内部構成を示すブロック図である。
【図３】ＲＴＰパケットのフォーマット例を示す図である。
【図４】Ｐｉｎｇ試験を示す図である。
【図５】音声符号化部の試験例（テストベッド）を示す図である。
【図６】試験パターンと受信パターンの関係を示すタイミング図である。
【符号の説明】
１１，１２  交換機
１１ｂ，１２ｂ  端末
１３，１４  ＴＧＷ(Trunk Gateway)
１５  試験サーバ
１６，１７  通話用回線
２０  ＩＰネットワーク
２３，２４  ＳＧＷ(Signaling Gateway)
２５  コール・エージェント
３１  ＴＧＷ制御部
３２  パケット化部
３３  音声符号化部
３４  時分割スイッチ
３５  ＩＮＦ部
３６  折り返し回路
【図１】
0003627678.tif 000002
【図２】
0003627678.tif 000003
【図３】
0003627678.tif 000004
【図４】
0003627678.tif 000005
【図５】
0003627678.tif 000006
【図６】
0003627678.tif 000007